(57)【要約】【課題】血圧測定用カフの圧力を表示画面に電子的にグラフ表示できる上、表示の分解能を高めることができる血圧計を提供すること。【解決手段】本発明の血圧計は、表示画面５００が表示される領域を空間的に画定するフレーム５００Ｆを備える。表示画面５００に、圧力の値を読み取り可能にするための目盛表示５０１が一方向に沿って表示される。表示画面５００に、カフの圧力を目盛表示５０１に対する位置によって表すマーク５０２Ｔが表示される。表示制御部は、圧力が変化するとき、マーク５０２Ｔがフレーム５００Ｆ内に収まるように、予め定められた圧力変化速度またはカフの加圧過程若しくは減圧過程で実測して得られた圧力変化速度に対応するスライド速度で、フレーム５００Ｆに対して目盛表示５０１を一方向に沿ってスライドさせる制御を行う。【選択図】図５
2019118708.tif 000002
【特許請求の範囲】
【請求項１】
被測定部位を圧迫する血圧測定用カフの圧力を表示画面に電子的にグラフ表示する血圧計であって、
上記表示画面が表示される領域を空間的に画定するフレームと、
上記表示画面に一方向に沿って表示され、圧力の値を読み取り可能にするための目盛表示と、
上記表示画面に表示され、上記カフの圧力を上記目盛表示に対する位置によって表すマークと、
上記圧力が変化するとき、上記マークが上記フレーム内に収まるように、予め定められた圧力変化速度または上記カフの加圧過程若しくは減圧過程で実測して得られた圧力変化速度に対応するスライド速度で、上記フレームに対して上記目盛表示を上記一方向に沿ってスライドさせる制御を行う表示制御部と
を備えたことを特徴とする血圧計。
【請求項２】
請求項１に記載の血圧計において、
上記表示制御部は、上記マークが上記フレーム内に表示された上記目盛表示の中央から予め定められた許容範囲内を指しているとき、上記圧力の変化にかかわらず、上記フレームに対して上記目盛表示を停止させる制御を行うことを特徴とする血圧計。
【請求項３】
請求項１または２に記載の血圧計において、
上記実測して得られた圧力変化速度として、上記カフの圧力から上記被測定部位が示す脈波に伴う圧力変動成分を除去して、少なくとも或る期間にわたって定常的な圧力変化速度を得る圧力変化速度取得部を備えたことを特徴とする血圧計。
【請求項４】
請求項１から３までのいずれか一つに記載の血圧計において、
上記目盛表示は、上記表示画面に上記一方向としての縦方向に沿って表示され、
上記マークは上記目盛表示に沿って上記縦方向に延在する棒グラフであり、
上記表示制御部は、上記目盛表示を上記縦方向に沿ってスライドさせることを特徴とする血圧計。
【請求項５】
請求項１から４までのいずれか一つに記載の血圧計において、
上記カフに空気を供給し又は上記カフから空気を排出して圧力を制御する圧力制御部と、
上記カフの加圧過程若しくは減圧過程で、上記カフの圧力に基づいてオシロメトリック法により血圧を算出する血圧算出部と
を備えたことを特徴とする血圧計。
【請求項６】
請求項１から５までのいずれか一つに記載の血圧計において、
上記フレーム内に表示される上記目盛表示が示す圧力範囲は、最小目盛０ｍｍＨｇから最大目盛３００ｍｍＨｇまでの範囲内の一部である１００ｍｍＨｇ乃至１１０ｍｍＨｇ分に相当することを特徴とする血圧計。
【請求項７】
請求項１から６までのいずれか一つに記載の血圧計において、
上記表示制御部は、上記フレームの対向する２辺のうち上記目盛表示の低圧側に相当する第１の辺と高圧側に相当する第２の辺との間で、最小目盛０ｍｍＨｇが上記第１の辺に沿った所から上記第２の辺側へ向かって離れるのを禁止する一方、最大目盛３００ｍｍＨｇが上記第２の辺に沿った所から上記第１の辺側へ向かって離れるのを禁止することによって、上記フレームに対して上記目盛表示がスライドする範囲を規制する制御を行うことを特徴とする血圧計。
【発明の詳細な説明】
【技術分野】
【０００１】
この発明は血圧計に関し、より詳しくは、血圧測定用カフの圧力を表示画面に電子的にグラフ表示する血圧計に関する。
【背景技術】
【０００２】
水銀柱血圧計のような水銀を使った機器の製造、輸出入は、２０２０年以降、原則として禁止される（水銀に関する水俣条約）。このため、水銀柱を模した電子的なグラフ表示を行う血圧計が注目されている。例えば、特許文献１（特開２００７−１３５７１７号公報）には、カフの中の圧力の測定値を、棒グラフ（バーグラフ）として表示するためのアナログ状表示器を備えたものが開示されている。このアナログ状表示器は、０ｍｍＨｇから３００ｍｍＨｇまでの目盛に沿って並べられた、各々１ｍｍＨｇまたは２ｍｍＨｇの圧力量に相当する複数のセグメントを備えている。
【先行技術文献】
【特許文献】
【０００３】
【特許文献１】特開２００７−１３５７１７号公報
【発明の概要】
【発明が解決しようとする課題】
【０００４】
しかしながら、特許文献１の血圧計では、表示器に０ｍｍＨｇから３００ｍｍＨｇまでの目盛の全範囲が固定して表示されているため、表示画面のサイズ（縦方向のサイズ）が大きい割に表示の分解能が１ｍｍＨｇまたは２ｍｍＨｇ単位というように粗い、という問題がある。
【０００５】
そこで、この発明の課題は、血圧測定用カフの圧力を表示画面に電子的にグラフ表示できる上、表示の分解能を高めることができる血圧計を提供することにある。
【課題を解決するための手段】
【０００６】
上記課題を解決するため、この開示の血圧計は、
被測定部位を圧迫する血圧測定用カフの圧力を表示画面に電子的にグラフ表示する血圧計であって、
上記表示画面が表示される領域を空間的に画定するフレームと、
上記表示画面に一方向に沿って表示され、圧力の値を読み取り可能にするための目盛表示と、
上記表示画面に表示され、上記カフの圧力を上記目盛表示に対する位置によって表すマークと、
上記圧力が変化するとき、上記マークが上記フレーム内に収まるように、予め定められた圧力変化速度または上記カフの加圧過程若しくは減圧過程で実測して得られた圧力変化速度に対応するスライド速度で、上記フレームに対して上記目盛表示を上記一方向に沿ってスライドさせる制御を行う表示制御部と
を備えたことを特徴とする。
【０００７】
ここで、「予め定められた圧力変化速度」は、例えば加圧過程若しくは減圧過程での圧力変化速度が既知である場合に、その圧力変化速度に対応するスライド速度を用いることを意味する。上記カフの「加圧過程若しくは減圧過程で実測して得られた圧力変化速度」は、典型的には、その加圧過程若しくは減圧過程の初期に圧力変化速度を実測して求め、その圧力変化速度に対応するスライド速度を用いることを意味する。
【０００８】
この開示の血圧計では、表示画面に、上記カフの圧力の値を読み取り可能にするための目盛表示が一方向に沿って表示される。また、上記表示画面に、上記カフの圧力を上記目盛表示に対する位置によって表すマークが表示される。血圧測定用カフの圧力が変化するとき、表示制御部は、上記マークが上記フレーム内に収まるように、予め定められた圧力変化速度または上記カフの加圧過程若しくは減圧過程で実測して得られた圧力変化速度に対応するスライド速度で、上記フレームに対して上記目盛表示を上記一方向に沿ってスライドさせる制御を行う。これにより、上記マークが上記フレーム内に収まる状態で、上記カフの圧力が上記マークの上記目盛表示に対する位置によって読み取り可能となる。このようにして、上記カフの圧力が表示画面に電子的にグラフ表示される。したがって、ユーザ（医師、看護師などの医療関係者、および、被験者などを含む。）は、伝統的な水銀柱血圧計を見るときと同様のアナログ的な感覚で、上記圧力の値を読み取ることができる。しかも、この血圧計では、上記フレーム内で上記目盛表示が示す圧力範囲は、スライドによって表示可能な全範囲（例えば、伝統的な水銀柱血圧計と同じ最小目盛０ｍｍＨｇから最大目盛３００ｍｍＨｇまでの範囲）内の一部の範囲として設定することができる。そのようにした場合、上記目盛表示のスライド方向に関する表示画面のサイズ（上記フレームのサイズに相当）の割に表示の分解能を高めることができる。
【０００９】
一実施形態の血圧計では、上記表示制御部は、上記マークが上記フレーム内に表示された上記目盛表示の中央から予め定められた許容範囲内を指しているとき、上記圧力の変化にかかわらず、上記フレームに対して上記目盛表示を停止させる制御を行うことを特徴とする。
【００１０】
上記マークが上記フレーム内に表示された上記目盛表示の中央から予め定められた許容範囲内を指しているとき、上記目盛表示をスライドさせる必要性は少ない。そこで、この一実施形態の血圧計では、上記表示制御部は、上記マークが上記フレーム内で上記目盛表示の中央から予め定められた許容範囲内を指しているとき、上記圧力の変化にかかわらず、上記フレームに対して上記目盛表示を停止させる制御を行う。これにより、ユーザが上記圧力の値を読み取り易くなる。
【００１１】
一実施形態の血圧計では、上記実測して得られた圧力変化速度として、上記カフの圧力から上記被測定部位が示す脈波に伴う圧力変動成分を除去して、少なくとも或る期間にわたって定常的な圧力変化速度を得る圧力変化速度取得部を備えたことを特徴とする。
【００１２】
ここで、「或る期間」とは、典型的には、加圧過程若しくは減圧過程の初期の１秒間ないし数秒間の期間を指す。ただし、圧力変化速度取得部は、加圧過程若しくは減圧過程の進行に伴って逐次、定常的な圧力変化速度を得てもよい。
【００１３】
この一実施形態の血圧計では、圧力変化速度取得部は、上記実測して得られた圧力変化速度として、上記カフの圧力から上記被測定部位が示す脈波に伴う圧力変動成分を除去して、少なくとも或る期間にわたって定常的な圧力変化速度を得る。上記表示制御部は、この圧力変化速度に対応するスライド速度で、上記フレームに対して上記目盛表示をスライドさせる。これにより、上記マークが上記フレーム内に収まるように、上記フレームに対して上記目盛表示を適切なスライド速度でスライドさせることができる。特に、上記カフの圧力に含まれた上記脈波に伴う圧力変動成分によって上記フレームに対する上記目盛表示のスライド速度または位置が受ける影響を少なくすることができる。
【００１４】
なお、仮に、上記カフの圧力から上記被測定部位が示す脈波に伴う圧力変動成分を除去せず、上記カフの圧力変化速度にそのまま対応させて上記フレームに対して上記目盛表示をスライドさせる場合は、上記脈波に伴う圧力変動成分のせいで、上記フレームに対する上記目盛表示のスライド速度が短時間に変動したり、上記目盛表示の位置が短時間に上下したりする。このため、上記表示画面を見ているユーザに違和感を与える結果となる。
【００１５】
一実施形態の血圧計では、
上記目盛表示は、上記表示画面に上記一方向としての縦方向に沿って表示され、
上記マークは上記目盛表示に沿って上記縦方向に延在する棒グラフであり、
上記表示制御部は、上記目盛表示を上記縦方向に沿ってスライドさせることを特徴とする。
【００１６】
この一実施形態の血圧計では、表示画面の外観が伝統的な水銀柱血圧計におけるのと略同じになる。したがって、伝統的な水銀柱血圧計の使用に慣れたユーザにとって、この血圧計を使用する際の違和感が少ない。
【００１７】
一実施形態の血圧計では、
上記カフに空気を供給し又は上記カフから空気を排出して圧力を制御する圧力制御部と、
上記カフの加圧過程若しくは減圧過程で、上記カフの圧力に基づいてオシロメトリック法により血圧を算出する血圧算出部と
を備えたことを特徴とする。
【００１８】
この一実施形態の血圧計では、圧力制御部が、上記カフに空気を供給し又は上記カフから空気を排出して圧力を制御する。これとともに、血圧算出部が、上記カフの加圧過程若しくは減圧過程で、上記カフの圧力に基づいてオシロメトリック法により血圧を算出する。したがって、自動的に血圧値が測定され得る。
【００１９】
なお、それに代えて、例えば医師が、上記血圧計の表示画面を見ながら、被験者の被測定部位に聴診器を当てて、聴診法により血圧を測定してもよい。
【００２０】
一実施形態の血圧計では、上記フレーム内に表示される上記目盛表示が示す圧力範囲は、最小目盛０ｍｍＨｇから最大目盛３００ｍｍＨｇまでの範囲内の一部である１００ｍｍＨｇ乃至１１０ｍｍＨｇ分に相当することを特徴とする。
【００２１】
この一実施形態の血圧計では、表示画面のサイズの割に表示の分解能が高まる。すなわち、上記目盛表示のスライド方向に関する上記フレームのサイズ（表示画面のサイズに相当）が同じであれば、上記フレーム内に最小目盛０ｍｍＨｇから最大目盛３００ｍｍＨｇまでの全範囲が同時に表示される場合に比して、表示の分解能が約３倍に高まる。逆に、上記目盛表示のスライド方向に関する表示の分解能が同じで良ければ、上記目盛表示のスライド方向に関する上記フレームのサイズを小さくすることができる。
【００２２】
なお、仮に、上記フレーム内に表示された上記目盛表示が示す圧力範囲が、例えば１５０ｍｍＨｇ分よりも広いときは、表示の分解能を十分に高めることができない。一方、上記フレーム内で上記目盛表示が示す圧力範囲が、例えば５０ｍｍＨｇ分よりも狭いときは、表示画面内で上記カフの圧力に含まれた上記脈波に伴う圧力変動成分が大きく見えすぎて、むしろ使い難くなる。
【００２３】
一実施形態の血圧計では、上記表示制御部は、上記フレームの対向する２辺のうち上記目盛表示の低圧側に相当する第１の辺と高圧側に相当する第２の辺との間で、最小目盛０ｍｍＨｇが上記第１の辺に沿った所から上記第２の辺側へ向かって離れるのを禁止する一方、最大目盛３００ｍｍＨｇが上記第２の辺に沿った所から上記第１の辺側へ向かって離れるのを禁止することによって、上記フレームに対して上記目盛表示がスライドする範囲を規制する制御を行うことを特徴とする。
【００２４】
この一実施形態の血圧計では、上記フレームに対して上記目盛表示が血圧計として無用な範囲にスライドするのが規制される。したがって、使い勝手が良くなる。例えば、伝統的な水銀柱血圧計の使用に慣れたユーザにとって、この血圧計を使用する際の違和感が少ない。
【発明の効果】
【００２５】
以上より明らかなように、この開示の血圧計によれば、血圧測定用カフの圧力を表示画面に電子的にグラフ表示できる上、表示の分解能を高くすることができる。
【図面の簡単な説明】
【００２６】
【図１】この発明の一実施形態の電子血圧計（以下、単に「血圧計」と呼ぶ。）の外観を示す斜視図である。
【図２】上記血圧計の制御系のブロック構成を示す図である。
【図３】上記血圧計におけるオシロメトリック法による血圧測定モードのフローを示す図である。
【図４】上記血圧計における聴診器による血圧測定モードのフローを示す図である。
【図５】図５（Ａ）〜図５（Ｃ）は、上記血圧計の表示器の表示内容が変化してゆく態様を例示する図である。
【図６】図６（Ａ）〜図６（Ｃ）は、上記血圧計の表示器の表示内容が変化してゆく態様を例示する図である。
【図７】図７（Ａ）〜図７（Ｃ）は、上記血圧計の表示器の表示内容が変化してゆく態様を例示する図である。
【図８】図８（Ａ）は、上記血圧計による血圧測定に伴う、カフ圧の時間的変化を例示する図である。図８（Ｂ）は、カフ圧の時間的変化に伴う、上記表示器における目盛表示のスライド量を例示する図である。
【図９】カフ圧が２６０ｍｍＨｇ以上に上昇した場合の、上記血圧計の表示器の表示内容を例示する図である。
【発明を実施するための形態】
【００２７】
以下、この発明の実施の形態を、図面を参照しながら詳細に説明する。
【００２８】
図１は、この発明の一実施形態の血圧計（全体を符号１で示す。）の外観を示している。この血圧計１は、被測定者の上腕に装着される血圧測定用カフ２０と、自立型の本体１０と、カフ２０と本体１０とを接続するフレキシブルなエアチューブ３８とを備えている。カフ２０には上腕を圧迫するための流体袋２２（図２参照）が内包されている。本体１０の前面には、表示器５０と、操作部５２とが設けられている。
【００２９】
表示器５０は、この例ではＬＣＤ（液晶表示素子）からなり、後述の制御部としてのＣＰＵ（Central Processing Unit）１００（図２参照）からの制御信号に従って、表示画面５００に電子的にグラフ表示、および、その他の血圧測定に関連する表示を行う。この例では、表示画面５００が表示される領域は、一方向（この例では、縦方向）に細長い矩形枠状のフレーム５００Ｆによって空間的に画定されている。この例では、表示画面５００は、縦方向に沿って目盛表示５０１を表示するとともに、この目盛表示５０１に沿ってマークをなす棒グラフ５０２を表示するようになっている。目盛表示５０１は、後述するようにフレーム５００Ｆに対して縦方向に沿ってスライドされ、カフ２０（流体袋２２）の圧力（以下、「カフ圧Ｐｃ」と呼ぶ。）の値を読み取り可能にする。棒グラフ５０２は、目盛表示５０１に対する頂部５０２Ｔの位置によって、カフ２０の圧力Ｐｃを表す。詳しくは、図５（Ａ）に示すように、この例では、表示画面５００（フレーム５００Ｆ）の中央に棒グラフ５０２が表示され、この棒グラフ５０２の両側に、目盛表示５０１が左右２つの部分５０１Ｌ，５０１Ｒに分かれて表示される。この結果、表示画面５００の外観が伝統的な水銀柱血圧計におけるのと略同じになる。したがって、伝統的な水銀柱血圧計の使用に慣れたユーザにとって、この血圧計１を使用する際の違和感が少ない。
【００３０】
フレーム５００Ｆ内に表示される目盛表示５０１が示す圧力範囲は、最小目盛０ｍｍＨｇから最大目盛３００ｍｍＨｇまでの範囲内の一部である約１００ｍｍＨｇ分に相当する。図５（Ａ）の例では、フレーム５００Ｆの低圧側に相当する第１の辺としての下辺５００Ｆｂと高圧側に相当する第２の辺としての上辺５００Ｆａとの間に、目盛０ｍｍＨｇから目盛１００ｍｍＨｇまでが表示されている。これにより、表示画面５００のサイズの割に表示の分解能が高まる。すなわち、フレーム５００Ｆの縦方向のサイズ（表示画面５００の縦方向のサイズに相当）が同じであれば、フレーム５００Ｆ内に最小目盛０ｍｍＨｇから最大目盛３００ｍｍＨｇまでの全範囲が同時に表示される場合に対して、表示の分解能が約３倍に高まる。逆に、フレーム５００Ｆ内に最小目盛０ｍｍＨｇから最大目盛３００ｍｍＨｇまでの全範囲が同時に表示される場合に対して表示の分解能が同じで良ければ、フレーム５００Ｆの縦方向のサイズを小さくすることができる。
【００３１】
より具体的には、この例では、フレーム５００Ｆ内の下部（下辺５００Ｆｂに沿った所）と上部（上辺５００Ｆａに沿った所）にそれぞれ圧力値（図５（Ａ）の例では、「０ｍｍＨｇ」と「１００ｍｍＨｇ」という表示）が表示されるように、フレーム５００Ｆ内に表示される目盛表示５０１が示す圧力範囲は、１００ｍｍＨｇ分よりも数ｍｍＨｇ分だけ広く、せいぜい１１０ｍｍＨｇ分までに設定されている。以下では、簡単のため、これを１００ｍｍＨｇ分と称する。
【００３２】
図１に示すように、操作部５２は、この例では、本体１０の前面のうち表示器５０の右側に配置された電源スイッチ５２Ａ、測定開始スイッチ５２Ｂおよび測定停止スイッチ５２Ｃと、表示器５０の下側に配置された加圧値設定ボリューム５２Ｄおよび測定モード切換スイッチ５２Ｅとを含んでいる。電源スイッチ５２Ａは、ユーザ（医師、看護師などの医療関係者、および、被験者などを含む。）がこの血圧計１の電源のオン／オフを行うためのスイッチである（なお、以下の説明では、電源スイッチ５２Ａがオンされているものとする。）。測定開始スイッチ５２Ｂ、測定停止スイッチ５２Ｃは、それぞれユーザが血圧測定の開始、停止を指示するためのスイッチである。加圧値設定ボリューム５２Ｄは、血圧測定の際のカフ２０による加圧設定値（上限値）をユーザ設定可能にするスイッチである。測定モード切換スイッチ５２Ｅは、ユーザがこの血圧計１の測定モードを切り換えて設定するためのスイッチである。この例では、オシロメトリック法により自動的に血圧値を測定するモードと、ユーザが聴診器を用いて血圧値を測定するモード（カフ２０の加圧、減圧は自動的に行われる）とが切り換え可能になっているものとする。これらのスイッチ５２Ａ，５２Ｂ，５２Ｃ，５２Ｄ，５２Ｅは、ユーザによる指示に応じた操作信号をＣＰＵ１００に入力する。
【００３３】
図２に示すように、本体１０には、上述の表示器５０と操作部５２に加えて、ＣＰＵ１００と、メモリ５１と、電源部５３と、カフ圧Ｐｃを検出するためのピエゾ抵抗式の圧力センサ３１と、流体袋２２に流体としての空気を供給するポンプ３２と、その空気を外部環境（大気圧にある）へ放出してカフ圧Ｐｃを調節するための弁３３と、圧力センサ３１からの出力を周波数に変換する発振回路３１０と、ポンプ３２を駆動するポンプ駆動回路３２０と、弁３３を駆動する弁駆動回路３３０とが搭載されている。圧力センサ３１、ポンプ３２、弁３３は、本体内部に設けられたエア配管３９とこのエア配管３９に連通する上記エアチューブ３８とを介して、カフ２０に内包された流体袋２２と接続されている。これにより、圧力センサ３１、ポンプ３２、弁３３と、流体袋２２との間で、流体としての空気が流通するようになっている。
【００３４】
メモリ５１は、血圧計１を制御するためのプログラム、血圧計１の各種機能を設定するための設定データ、血圧値の測定結果のデータを記憶する。また、メモリ５１は、プログラムが実行されるときのワークメモリなどとして用いられる。
【００３５】
電源部５３は、ＣＰＵ１００、圧力センサ３１、ポンプ３２、弁３３、表示器５０、メモリ５１、発振回路３１０、ポンプ駆動回路３２０、および弁駆動回路３３０の各部に電力を供給する。
【００３６】
発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００３７】
ＣＰＵ１００は、メモリ５１に記憶された血圧計１を制御するためのプログラムに従って圧力制御部として働いて、操作部５２からの操作信号に応じて、ポンプ駆動回路３２０を介してポンプ３２を駆動するとともに、弁駆動回路３３０を介して弁３３を駆動する制御を行う。弁３３は、流体袋２２の空気を排出し、または封入してカフ圧Ｐｃを制御するために開閉される。また、ＣＰＵ１００は、オシロメトリック法による血圧測定モードでは血圧算出部として働いて、圧力センサ３１からの信号に基づいて血圧値を算出する。また、ＣＰＵ１００は、表示制御部として表示器５０の表示内容を制御するとともに、メモリ５１を制御する。
【００３８】
図３は、血圧計１におけるオシロメトリック法による血圧測定モード（この例では、測定モード切換スイッチ５２Ｅによって指示されているものとする。）のフローを示している。ここで、図３と図５〜図８を参照しながら、血圧測定に伴う表示画面５００の表示内容について説明する。なお、測定に際して予め、被験者の被測定部位（この例では上腕）にカフ２０が巻き付けられる。
【００３９】
ｉ）  測定開始スイッチ５２Ｂによる操作によって測定開始が指示されると、この血圧計１は、まず初期化の処理を行う（図３のステップＳ１）。すなわち、ＣＰＵ１００は、処理用メモリ領域を初期化する。また、ＣＰＵ１００は、ポンプ３２をオフし、弁３３を開いて、カフ２０（流体袋２２）内の空気を排気し、圧力センサ３１の０ｍｍＨｇ調整（大気圧を０ｍｍＨｇに設定する。）を行う。
【００４０】
このとき、カフ圧Ｐｃは、図８（Ａ）中の時刻ｔ０の状態にある。また、図５（Ａ）に示すように、ＣＰＵ１００が表示制御部として働いて、表示器５０に現在のカフ圧Ｐｃである０ｍｍＨｇを表示させる。具体的には、既述のように、表示器５０における目盛表示５０１としては、表示可能な全範囲（最小目盛０ｍｍＨｇから最大目盛３００ｍｍＨｇまでの範囲）のうち０ｍｍＨｇから１００ｍｍＨｇまでの１００ｍｍＨｇ分が表示されている。この目盛表示５０１に対する棒グラフ５０２の頂部５０２Ｔの位置が、現在のカフ圧Ｐｃである０ｍｍＨｇを指している。
【００４１】
ii）  次に、ＣＰＵ１００は圧力制御部として働いて、弁３３を閉鎖し、ポンプ３２を駆動して、圧力センサ３１によってカフ圧Ｐｃを観測しながら、流体袋２２に空気を送る制御を行う。これにより、流体袋２２を膨張させるとともにカフ圧Ｐｃを徐々に加圧していく（図３のステップＳ２）。カフ圧Ｐｃの加圧速度は、例えば、２０ｍｍＨｇ／秒〜３０ｍｍＨｇ／秒の範囲内の一定値に設定されているものとする。
【００４２】
これにより、カフ圧Ｐｃは、図８（Ａ）中の時刻ｔ０〜ｔ１に示すように、この例では一定の加圧速度で加圧されてゆく。この加圧過程で、図５（Ｂ）に示すように、ＣＰＵ１００が表示制御部として働いて、表示器５０に現在のカフ圧Ｐｃをリアルタイムで表示させる。図５（Ｂ）の例では、目盛表示５０１に対する棒グラフ５０２の頂部５０２Ｔの位置が、約４５ｍｍＨｇを指している。
【００４３】
iii）  また、この加圧過程で、ＣＰＵ１００が圧力変化速度取得部として働いて、圧力センサ３１の出力に基づいて、実測して得られた圧力変化速度としての加圧速度を取得する（図３のステップＳ３）。このとき、ＣＰＵ１００は、実際のカフ２０の圧力Ｐｃから被測定部位が示す脈波に伴う圧力変動成分Ｐｍ（図８（Ａ）参照）を除去して、少なくとも或る期間（典型的には、加圧過程の初期の１秒間ないし数秒間の期間）にわたって定常的な加圧速度を得る。なお、この加圧過程の全期間にわたって逐次、定常的な加圧速度を得てもよい。
【００４４】
iv）  また、この加圧過程で、ＣＰＵ１００が表示制御部として働いて、棒グラフ５０２の頂部５０２Ｔの位置がフレーム５００Ｆ内に表示された目盛表示５０１の中央から予め定められた許容範囲ＡＡ内を指しているか否かを判断する（図３のステップＳ４）。
【００４５】
この例では、図５（Ａ）に示すように、許容範囲ＡＡは、フレーム５００Ｆ内に表示された目盛表示５０１の中央から±１０ｍｍＨｇの範囲として予め定められている（なお、後述のように、仮にフレーム５００Ｆに対して目盛表示５０１が縦方向にスライドしたとしても、許容範囲ＡＡは、フレーム５００Ｆ内に現に表示された目盛表示５０１の中央から±１０ｍｍＨｇの範囲、言い換えれば、フレーム５００Ｆの縦方向に関して中央近傍の範囲として定められている。）。すなわち、図５（Ａ）〜図５（Ｃ）に例示するように、表示器５０における目盛表示５０１として０ｍｍＨｇから１００ｍｍＨｇまでの１００ｍｍＨｇ分が表示されている場合は、許容範囲ＡＡは、４０ｍｍＨｇから６０ｍｍＨｇまでの範囲に相当する（なお、表示画面５００には、許容範囲ＡＡの上下限を示す破線は表示されない。）。ここで、例えば図５（Ｂ）の状態では、現在のカフ圧Ｐｃが約４５ｍｍＨｇであり、したがって、棒グラフ５０２の頂部５０２Ｔの位置が許容範囲ＡＡ内を指している。このように、棒グラフ５０２の頂部５０２Ｔの位置が許容範囲ＡＡ内を指しているとき（図３のステップＳ４でＹＥＳ）、ＣＰＵ１００は表示制御部として働いて、カフ圧Ｐｃの変化にかかわらず、フレーム５００Ｆに対して目盛表示５０１を停止させる制御を行う（図３のステップＳ５）。これにより、ユーザが圧力Ｐｃの値を読み取り易くなる。
【００４６】
ｖ）  一方、棒グラフ５０２の頂部５０２Ｔの位置が許容範囲ＡＡ内を指していないとき（言い換えれば、許容範囲ＡＡを外れようとしているとき）（図３のステップＳ４でＮＯ）、ＣＰＵ１００は表示制御部として働いて、棒グラフ５０２の頂部５０２Ｔの位置が許容範囲ＡＡ内に収まるように、ステップＳ３で実測して得られた加圧速度に対応するスライド速度で、フレーム５００Ｆに対して目盛表示５０１を縦方向に沿ってスライド（この加圧過程では、下降）させる制御を行う（図３のステップＳ６）。例えば、カフ圧Ｐｃについて実測して得られた既述の加圧速度が２５ｍｍＨｇ／秒であれば、フレーム５００Ｆに対して目盛表示５０１は、左右２つの部分５０１Ｌ，５０１Ｒを一体として、２５ｍｍＨｇ／秒に相当するスライド速度で下降される。これにより、フレーム５００Ｆに対して目盛表示５０１を適切なスライド速度でスライドさせることができる。特に、カフ圧Ｐｃに含まれた脈波に伴う圧力変動成分Ｐｍによってフレーム５００Ｆに対する目盛表示５０１のスライド速度または位置が受ける影響を少なくすることができる。
【００４７】
この例では、この加圧過程で、図８（Ａ）中に示すように、時刻ｔ１にカフ圧Ｐｃが６０ｍｍＨｇに達したものとする。それに応じて、図５（Ｃ）に示すように、棒グラフ５０２の頂部５０２Ｔの位置が許容範囲ＡＡの上限（フレーム５００Ｆ内に現に表示された目盛表示５０１では、目盛６０ｍｍＨｇに相当）に達すると、フレーム５００Ｆに対して矢印Ｄで示すように目盛表示５０１が下降し始める。この目盛表示５０１の下降に伴って、フレーム５００Ｆ内の上部（上辺５００Ｆａに沿った所）には順次大きい値の目盛が現れる（入ってくる）一方、フレーム５００Ｆ内の下部（下辺５００Ｆｂに沿った所）から順次小さい値の目盛が消えてゆく（出てゆく）。フレーム５００Ｆ内に表示される目盛は、現に表示される範囲として１００ｍｍＨｇ分を維持しながら、表示可能な全範囲（最小目盛０ｍｍＨｇから最大目盛３００ｍｍＨｇまでの範囲）内で、次第に上昇してゆく。
【００４８】
この加圧過程における、フレーム５００Ｆに対する目盛表示５０１の下降の間、フレーム５００Ｆに対する棒グラフ５０２の頂部５０２Ｔの位置は、基本的に許容範囲ＡＡの上限の所に維持されながら、カフ圧Ｐｃにおいて脈波に伴う圧力変動成分Ｐｍが現れると、その圧力変動成分Ｐｍに応じて許容範囲ＡＡの上限の所から一時的に変動する。
【００４９】
このようにして、図８（Ｂ）中に示すように、時刻ｔ１から後述の時刻ｔ２まで、フレーム５００Ｆに対して目盛表示５０１がスライド（下降）される。
【００５０】
vi）  次に、ＣＰＵ１００は、圧力センサ３１の出力に基づいて、カフ圧Ｐｃが加圧設定値Ｐｕよりも大きくなったか否かを判断する（図３のステップＳ７）。この例では、加圧設定値Ｐｕは、加圧値設定ボリューム５２Ｄによって、Ｐｕ＝１６７ｍｍＨｇに設定されているものとする。なお、加圧設定値Ｐｕは、予想される最高血圧（収縮期血圧）よりも３０ｍｍＨｇ〜４０ｍｍＨｇ高い値に設定することが推奨されている。ここで、カフ圧Ｐｃが未だ加圧設定値Ｐｕよりも大きくなっていないときは（図３のステップＳ７でＮＯ）、図３のステップＳ２〜Ｓ６の処理を繰り返す。一方、カフ圧Ｐｃが加圧設定値Ｐｕよりも大きくなったとき（言い換えれば、大きくなろうとするとき）は（図３のステップＳ７でＹＥＳ）、ＣＰＵ１００は圧力制御部として働いて、ポンプ３２を停止して、カフ２０の加圧を停止する。
【００５１】
この例では、図８（Ａ）中に示すように、時刻ｔ２にカフ圧Ｐｃが加圧設定値Ｐｕ（＝１６７ｍｍＨｇ）に達し、加圧が停止されたものとする。それに応じて、図６（Ａ）に示すように、ＣＰＵ１００が表示制御部として働いて、フレーム５００Ｆに対する目盛表示５０１の下降を停止させる。このとき、許容範囲ＡＡの上限の所にある棒グラフ５０２の頂部５０２Ｔの位置は、目盛表示５０１の１６７ｍｍＨｇを指している。
【００５２】
vii）  次に、ＣＰＵ１００は圧力制御部として働いて、圧力センサ３１によってカフ圧Ｐｃを観測しながら、弁３３を開いて、流体袋２２から空気を排出する制御を行う。これにより、カフ圧Ｐｃを徐々に減圧していく（図３のステップＳ８）。カフ圧Ｐｃの減圧速度は、例えば、５ｍｍＨｇ／秒〜８ｍｍＨｇ／秒の範囲内の一定値に設定されているものとする。
【００５３】
これにより、カフ圧Ｐｃは、図８（Ａ）中の時刻ｔ２〜ｔ３に示すように、この例では一定の減圧速度で減圧されてゆく。この減圧過程で、図６（Ｂ）に示すように、ＣＰＵ１００が表示制御部として働いて、表示器５０に現在のカフ圧Ｐｃをリアルタイムで表示させる。図６（Ｂ）の例では、目盛表示５０１に対する棒グラフ５０２の頂部５０２Ｔの位置が、約１５７ｍｍＨｇを指している。
【００５４】
viii）  また、この減圧過程で、ＣＰＵ１００が圧力変化速度取得部として働いて、圧力センサ３１の出力に基づいて、実測して得られた圧力変化速度としての減圧速度を取得する（図３のステップＳ９）。このとき、ＣＰＵ１００は、実際のカフ２０の圧力Ｐｃから被測定部位が示す脈波に伴う圧力変動成分Ｐｍ（図８（Ａ）参照）を除去して、少なくとも或る期間（典型的には、減圧過程の初期の１秒間ないし数秒間の期間）にわたって定常的な減圧速度を得る。なお、この減圧過程の全期間にわたって逐次、定常的な減圧速度を得てもよい。
【００５５】
ix）  また、この減圧過程で、ＣＰＵ１００が表示制御部として働いて、棒グラフ５０２の頂部５０２Ｔの位置がフレーム５００Ｆ内に表示された目盛表示５０１の中央から予め定められた許容範囲ＡＡ内を指しているか否かを判断する（図３のステップＳ１０）。
【００５６】
ここで、例えば図６（Ｂ）の状態では、許容範囲ＡＡは、１４７ｍｍＨｇから１６７ｍｍＨｇまでの範囲に相当する。また、現在のカフ圧Ｐｃが約１５７ｍｍＨｇであり、したがって、棒グラフ５０２の頂部５０２Ｔの位置が許容範囲ＡＡ内を指している。このように、棒グラフ５０２の頂部５０２Ｔの位置が許容範囲ＡＡ内を指しているとき（図３のステップＳ１０でＹＥＳ）、ＣＰＵ１００は表示制御部として働いて、カフ圧Ｐｃの変化にかかわらず、フレーム５００Ｆに対して目盛表示５０１を停止させる制御を行う（図３のステップＳ１１）。これにより、ユーザが圧力Ｐｃの値を読み取り易くなる。
【００５７】
このようにして、図８（Ｂ）中に示すように、時刻ｔ２から後述の時刻ｔ３まで、フレーム５００Ｆに対して目盛表示５０１が停止される。
【００５８】
ｘ）  一方、棒グラフ５０２の頂部５０２Ｔの位置が許容範囲ＡＡ内を指していないとき（言い換えれば、許容範囲ＡＡを外れようとしているとき）（図３のステップＳ１０でＮＯ）、ＣＰＵ１００は表示制御部として働いて、棒グラフ５０２の頂部５０２Ｔの位置が許容範囲ＡＡ内に収まるように、ステップＳ９で実測して得られた減圧速度に対応するスライド速度で、フレーム５００Ｆに対して目盛表示５０１を縦方向に沿ってスライド（この減圧過程では、上昇）させる制御を行う（図３のステップＳ１２）。例えば、カフ圧Ｐｃについて実測して得られた既述の減圧速度が６ｍｍＨｇ／秒であれば、フレーム５００Ｆに対して目盛表示５０１は、左右２つの部分５０１Ｌ，５０１Ｒを一体として、６ｍｍＨｇ／秒に相当するスライド速度で上昇される。これにより、フレーム５００Ｆに対して目盛表示５０１を適切なスライド速度でスライドさせることができる。特に、カフ圧Ｐｃに含まれた脈波に伴う圧力変動成分Ｐｍによってフレーム５００Ｆに対する目盛表示５０１のスライド速度または位置が受ける影響を少なくすることができる。
【００５９】
この例では、この減圧過程で、図８（Ａ）中に示すように、時刻ｔ３にカフ圧Ｐｃが１４７ｍｍＨｇ（フレーム５００Ｆ内に現に表示された目盛表示５０１では、許容範囲ＡＡの下限に相当）に達したものとする。それに応じて、図６（Ｃ）に示すように、棒グラフ５０２の頂部５０２Ｔの位置が許容範囲ＡＡの下限に達すると、フレーム５００Ｆに対して矢印Ｅで示すように目盛表示５０１が上昇し始める。この目盛表示５０１の上昇に伴って、フレーム５００Ｆ内の上部（上辺５００Ｆａに沿った所）から順次大きい値の目盛が消えてゆく（出てゆく）一方、フレーム５００Ｆ内の下部（下辺５００Ｆｂに沿った所）には順次小さい値の目盛が現れる（入ってくる）。フレーム５００Ｆ内に表示される目盛は、現に表示される範囲として１００ｍｍＨｇ分を維持しながら、表示可能な全範囲（最小目盛０ｍｍＨｇから最大目盛３００ｍｍＨｇまでの範囲）内で、次第に下降してゆく。
【００６０】
この減圧過程における、フレーム５００Ｆに対する目盛表示５０１の上昇の間、フレーム５００Ｆに対する棒グラフ５０２の頂部５０２Ｔの位置は、基本的に許容範囲ＡＡの下限の所に維持されながら、カフ圧Ｐｃにおいて脈波に伴う圧力変動成分Ｐｍが現れると、その圧力変動成分Ｐｍに応じて許容範囲ＡＡの下限の所から一時的に変動する。
【００６１】
このようにして、図８（Ｂ）中に示すように、時刻ｔ３から後述の時刻ｔ４まで、フレーム５００Ｆに対して目盛表示５０１がスライド（上昇）される。
【００６２】
ｘ）  この減圧過程で、ＣＰＵ１００は血圧算出部として働いて、カフ圧Ｐｃに基づいて公知のオシロメトリック法により血圧値（収縮期血圧と拡張期血圧）の算出を試みる（図３のステップＳ１３）。ここで、データ不足により未だ血圧を算出できないときは（図３のステップＳ１３でＮＯ）、図３のステップＳ８〜Ｓ１２の処理を繰り返す。
【００６３】
この例では、この減圧過程で、図８（Ａ）中に示すように、時刻ｔ４にカフ圧Ｐｃが４０ｍｍＨｇに達し、これに伴って、図７（Ａ）に示すように、フレーム５００Ｆ内の下部（下辺５００Ｆｂに沿った所）に目盛表示５０１の最小目盛０ｍｍＨｇ（特に、「０ｍｍＨｇ」という圧力表示を含む。）が現れたものとする。すると、ＣＰＵ１００は、表示制御部として働いて、最小目盛０ｍｍＨｇがフレーム５００Ｆ内の下部（下辺５００Ｆｂに沿った所）から上辺５００Ｆａ側へ向かって離れるのを禁止する。つまり、図８（Ｂ）に示すように、時刻ｔ４に、フレーム５００Ｆに対する目盛表示５０１のスライドを停止する。この後、カフ圧Ｐｃが４０ｍｍＨｇ未満に低下したとしても、図７（Ｂ）、図７（Ｃ）に示すように、フレーム５００Ｆに対する目盛表示５０１の位置は、図７（Ａ）におけるのと同じに維持される。
【００６４】
これにより、フレーム５００Ｆに対して目盛表示５０１が血圧計１として無用な範囲にスライドするのが規制される。したがって、使い勝手が良くなる。例えば、伝統的な水銀柱血圧計の使用に慣れたユーザにとって、この血圧計１を使用する際の違和感が少ない。
【００６５】
xi）  上記減圧過程で、血圧値（収縮期血圧と拡張期血圧）を算出できたときは（図３のステップＳ１３でＹＥＳ）、ＣＰＵ１００は圧力制御部として働いて、弁３３を全開して急速排気を行う（図３のステップＳ１４）。例えば図８（Ａ）中に示すように、時刻ｔ５に弁３３が全開されると、カフ圧Ｐｃが急速に減少し、この例では時刻ｔ６に大気圧（０ｍｍＨｇ）になっている。
【００６６】
なお、上記減圧過程で早期に血圧（収縮期血圧と拡張期血圧）を算出できた場合は、フレーム５００Ｆに対する目盛表示５０１のスライド（上昇）が停止される時刻（上の例では、時刻ｔ４）よりも、急速排気が開始される時刻（上の例では、時刻ｔ５）が先行することがある。
【００６７】
このように、この血圧計１では、カフ圧Ｐｃが変化するとき、ＣＰＵ１００が表示制御部として働いて、棒グラフ５０２がフレーム５００Ｆ内に収まるように、カフ２０の加圧過程若しくは減圧過程で実測して得られた圧力変化速度に対応するスライド速度で、フレーム５００Ｆに対して目盛表示５０１をスライドさせる。これにより、棒グラフ５０２がフレーム５００Ｆ内に収まる状態で、カフ２０の圧力Ｐｃが棒グラフ５０２の目盛表示５０１に対する位置によって読み取り可能となる。このようにして、カフ圧Ｐｃが表示画面５００に電子的にグラフ表示される。したがって、ユーザは、伝統的な水銀柱血圧計を見るときと同様のアナログ的な感覚で、カフ圧Ｐｃの値を読み取ることができる。しかも、この血圧計１では、フレーム５００Ｆ内で目盛表示５０１が示す圧力範囲は、スライドによって表示可能な全範囲（例えば、伝統的な水銀柱血圧計と同じ最小目盛０ｍｍＨｇから最大目盛３００ｍｍＨｇまでの範囲）内の一部の範囲（この例では、１００ｍｍＨｇ乃至１１０ｍｍＨｇ分）として設定することができる。そのようにした場合、目盛表示５０１のスライド方向に関する表示画面５００のサイズ（フレーム５００Ｆのサイズに相当）の割に表示の分解能を高めることができる。
【００６８】
xii）  また、このオシロメトリック法による血圧測定モードでは、急速排気（図３のステップＳ１４）を開始した後、ＣＰＵ１００は、伝統的な水銀柱血圧計におけるのと略同じ外観をもつアナログ的な表示画面５００に代えて、または、アナログ的な表示画面５００に加えて、表示器５０に、測定された収縮期血圧（最高血圧）と拡張期血圧（最低血圧）と脈拍数とを、例えば下の表１のようにデジタル表示させる（図３のステップＳ１５）。これにより、ユーザは、測定された血圧値と脈拍数とを数値で知ることができる。
（表１）
2019118708.tif 000003
【００６９】
上の例では、理解の容易を図るために、図３のステップＳ８〜Ｓ１２の減圧過程で初めて、ＣＰＵ１００が表示制御部として働いて、図７（Ａ）〜図７（Ｃ）に示したように、最小目盛０ｍｍＨｇがフレーム５００Ｆ内の下部（下辺５００Ｆｂに沿った所）から上辺５００Ｆａ側へ向かって離れるのを禁止することを説明した。しかしながら、実際には、図３のステップＳ２〜Ｓ７の加圧過程においても、ＣＰＵ１００が表示制御部として働いて、図５（Ａ）〜図５（Ｃ）に示したように、最小目盛０ｍｍＨｇがフレーム５００Ｆ内の下部（下辺５００Ｆｂに沿った所）から上辺５００Ｆａ側へ向かって離れるのを禁止している。これにより、フレーム５００Ｆに対して目盛表示５０１が血圧計１として無用な範囲にスライドするのが規制される。
【００７０】
また、仮に、カフ圧Ｐｃが２６０ｍｍＨｇ以上に上昇した場合は、例えば図９（この図９の例では、カフ圧Ｐｃ＝２７１ｍｍＨｇに達している。）に示すように、フレーム５００Ｆに対する目盛表示５０１がスライド（下降）して、最大目盛３００ｍｍＨｇ（特に、「３００ｍｍＨｇ」という圧力表示を含む。）がフレーム５００Ｆ内の上部（上辺５００Ｆａに沿った所）に現れる。その場合も、ＣＰＵ１００が表示制御部として働いて、最大目盛３００ｍｍＨｇがフレーム５００Ｆ内の上部（上辺５００Ｆａに沿った所）から下辺５００Ｆｂ側へ向かって離れるのを禁止する。これにより、フレーム５００Ｆに対して目盛表示５０１が血圧計１として無用な範囲にスライドするのが規制される。したがって、使い勝手が良くなる。例えば、伝統的な水銀柱血圧計の使用に慣れたユーザにとって、この血圧計１を使用する際の違和感が少ない。
【００７１】
また、上の例では、図３のステップＳ７で、加圧設定値Ｐｕは、加圧値設定ボリューム５２ＤによってＰｕ＝１６７ｍｍＨｇに設定されているものとした。しかしながら、これに限られるものではない。例えば、前回の血圧測定で得られた血圧値（収縮期血圧）をメモリ５１に記憶に記憶させておくものとする。そして、今回の血圧測定の際に、ＣＰＵ１００がメモリ５１からその血圧値（収縮期血圧）を読み出し、その血圧値（収縮期血圧）に例えば４０ｍｍＨｇを加えて得られた値を、加圧設定値Ｐｕとして用いてもよい。
【００７２】
それに代えて、ＣＰＵ１００は、例えば２００ｍｍＨｇというように固定された値を、加圧設定値Ｐｕとして用いてもよい。
【００７３】
また、上の例では、図３のステップＳ６，Ｓ１２で、ＣＰＵ１００は、フレーム５００Ｆに対して目盛表示５０１をスライドさせるとき、カフ２０の加圧過程若しくは減圧過程で実測して得られた圧力変化速度に対応するスライド速度でスライドさせるものとした。しかしながら、これに限られるものではない。例えば加圧過程若しくは減圧過程での圧力変化速度が既知である場合に、フレーム５００Ｆに対して目盛表示５０１をスライドさせるとき、ＣＰＵ１００は、その圧力変化速度に対応するスライド速度でスライドさせてもよい。そのようにした場合、ＣＰＵ１００の処理を簡素化できる利点が得られる。
【００７４】
図４は、血圧計１における聴診器による血圧測定モード（この例では、測定モード切換スイッチ５２Ｅによって指示されているものとする。）のフローを示している。既述のオシロメトリック法による血圧測定モードでは、ＣＰＵ１００が血圧算出部として働いて血圧値（収縮期血圧と拡張期血圧）を算出した（図３のステップＳ１３）。それに代えて、この聴診器による血圧測定モードでは、ユーザ（例えば、医師）が聴診器によって血圧値（収縮期血圧と拡張期血圧）を測定する点が異なっている。
【００７５】
具体的には、ＣＰＵ１００は、図４のステップＳ１０１〜Ｓ１１２まで、図３のステップＳ１〜Ｓ１２と同様に処理を進める。この聴診器による血圧測定モードでも、カフ圧Ｐｃが変化するとき、ＣＰＵ１００が表示制御部として働いて、棒グラフ５０２がフレーム５００Ｆ内に収まるように、カフ２０の加圧過程若しくは減圧過程で実測して得られた圧力変化速度に対応するスライド速度で、フレーム５００Ｆに対して目盛表示５０１をスライドさせる。これにより、棒グラフ５０２がフレーム５００Ｆ内に収まる状態で、カフ２０の圧力Ｐｃが棒グラフ５０２の目盛表示５０１に対する位置によって読み取り可能となる。このようにして、カフ圧Ｐｃが表示画面５００に電子的にグラフ表示される。
【００７６】
そして、減圧過程（図４のステップＳ１０８〜Ｓ１１２）で、ユーザが聴診器によって被測定部位が示すコロトコフ音を聴き、コロトコフ音の発生、消滅のタイミングで、表示画面５００に表示されたカフ圧Ｐｃを目視で読み取る。これにより、血圧値（収縮期血圧と拡張期血圧）が測定される。このとき、ユーザは、伝統的な水銀柱血圧計を見るときと同様のアナログ的な感覚で、カフ圧Ｐｃの値を読み取ることができる。
【００７７】
カフ圧Ｐｃの読み取りが完了すると、ユーザが測定停止スイッチ５２Ｃを押す（図４のステップＳ１１３）。測定停止スイッチ５２Ｃが押されると（図４のステップＳ１１３でＹＥＳ）、ＣＰＵ１００は圧力制御部として働いて、弁３３を全開して急速排気を行う（図４のステップＳ１１４）。この後、図３のステップＳ１５に相当するデジタル表示は行われない。
【００７８】
この聴診器による血圧測定モードは、聴診器によって血圧値を測定するのに慣れたユーザに適する。
【００７９】
上の図３、図４のフローの例では、いずれも、ＣＰＵ１００が圧力制御部として働いてポンプ３２と弁３３を制御し、カフ圧Ｐｃを加圧または減圧した。しかしながら、これに限られるものではない。ポンプ３２と弁３３に代えて、カフ２０にエアチューブを介して伝統的なゴム球（排気弁を含む）を取り付け、手動によってカフ圧Ｐｃを加圧または減圧してもよい。そのようにした場合、伝統的な水銀柱血圧計の使用に慣れたユーザにとって、この血圧計１を使用する際の違和感がさらに少なくなる。
【００８０】
また、上の例では、表示画面５００において、目盛表示５０１と、マークとしての棒グラフ５０２とが、縦方向に沿って表示され、縦方向に沿ってスライド可能であるものとした。しかしながら、これに限られるものではない。例えば、表示画面５００において、カフ圧Ｐｃの値を読み取り可能にする目盛表示と、カフ圧Ｐｃを目盛表示５０１に対する位置によって表すマークとしての帯グラフとが、横方向に表示され、横方向に沿ってスライド可能であってもよい。また、マークは、棒グラフまたは帯グラフに限られるものではなく、目盛表示のうちの特定の目盛を指す矢印などのマークであってもよい。
【００８１】
また、上の例では、表示器５０は、ＬＣＤからなるものとしたが、これに限られるものではない。表示器５０は、ＥＬ（エレクトロ・ルミネッセンス）ディスプレイなど、表示画面に目盛表示と棒グラフのようなマークとをスライド可能に表示できるものであればよい。
【００８２】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００８３】
１  血圧計
２０  カフ
２２  流体袋
３３  弁
５０  表示器
５１  メモリ
１００  ＣＰＵ
５００  表示画面
５００Ｆ  フレーム
５０１  目盛表示
５０２  棒グラフ
【図１】
2019118708.tif 000004
【図２】
2019118708.tif 000005
【図３】
2019118708.tif 000006
【図４】
2019118708.tif 000007
【図５】
2019118708.tif 000008
【図６】
2019118708.tif 000009
【図７】
2019118708.tif 000010
【図８】
2019118708.tif 000011
【図９】
2019118708.tif 000012